(57)【要約】【課題】赤外線を利用して毛髪などの乾燥を行うヘアードライヤーにおいて、反射効率の低減を抑えながら、通気抵抗を軽減できるヘアードライヤーを提供する。【解決手段】ヘアードライヤーは、乾燥風通路５に、送風ファン９と、モーター１０と、熱源１１と、リフレクター１２とを備える。リフレクター１２は、熱源１１の周囲を囲むように設けられて、熱源１１から放射された赤外線を吹出口４側へ向かって反射させる反射部２０を備える。反射部２０に、乾燥風通路５の上流側から下流側へと乾燥風を通過させる少なくとも１個の通風スリット２２を設ける。これにより、反射効率の向上を目的として大型化したリフレクター１２であっても、乾燥風を通風スリット２２を介してリフレクター１２の下流側へと通過させることができ、反射効率の低減を抑えながら、通気抵抗を軽減することができる。【選択図】図１
2018023754.tif 000002
【特許請求の範囲】
【請求項１】
吸込口（３）から吹出口（４）へ至る乾燥風通路（５）に、送風ファン（９）と、送風ファン（９）を駆動するモーター（１０）と、発熱しつつ赤外線を放射する熱源（１１）と、赤外線を反射させるリフレクター（１２）とを備えたヘアードライヤーであって、
リフレクター（１２）は、熱源（１１）の周囲を囲むように設けられて、熱源（１１）から放射された赤外線を吹出口（４）側へ向かって反射させる反射部（２０）を備えており、
反射部（２０）に、乾燥風通路（５）の上流側から下流側へと乾燥風を通過させる少なくとも１個の通風スリット（２２）が設けられていることを特徴とするヘアードライヤー。
【請求項２】
反射部（２０）は、リフレクター（１２）のベース部（１９）から吹出口（４）の方向に向かって外拡がり状に延設される少なくとも２個の反射板（２１）を備えており、
隣り合う反射板（２１・２１）の周方向の隣接する縁部（２４・２４）は、リフレクター（１２）と正対する側から見て、径方向の内外、あるいは、径方向の内外と周方向へずれた状態で位置させることで縁部（２４・２４）の間に通風スリット（２２）が形成されている請求項１に記載のヘアードライヤー。
【請求項３】
リフレクター（１２）と正対する側から見て、隣り合う反射板（２１・２１）の周方向の縁部（２４・２４）の縁端面（２５・２５）が同一線上に位置している請求項２に記載のヘアードライヤー。
【請求項４】
リフレクター（１２）と正対する側から見て、隣り合う反射板（２１・２１）の周方向の縁部（２４・２４）が内外に重なっている請求項２に記載のヘアードライヤー。
【請求項５】
同一形状に形成された複数の反射板（２１）が、熱源（１１）の周囲に等角度間隔に配置されて、反射部（２０）が風車状に形成されており、
リフレクター（１２）と正対する側から見て、各反射板（２１）の周方向中央を通る仮想中心軸線（Ｐ）が乾燥風通路（５）の中心で交わらないように反射板（２１）が設けられている請求項２から４のいずれかひとつに記載のヘアードライヤー。
【請求項６】
反射板（２１）は部分回転放物面形状に形成されて、その凹曲面が熱源（１１）に臨ませてある請求項２から５のいずれかひとつに記載のヘアードライヤー。
【請求項７】
反射部（２０）は、吹出口（４）の方向に向かって広がる傘状の反射板（２１）で構成されており、
反射部（２０）に、反射板（２１）の中途部から、反射板（２１）の先端縁あるいは基端縁に至る通風スリット（２２）が放射状に複数個形成されている請求項１に記載のヘアードライヤー。
【請求項８】
反射部（２０）は、吹出口（４）方向に向かって広がる傘状の反射板（２１）で構成されており、
反射部（２０）に、反射板（２１）の中途部を貫通する複数の通風スリット（２２）が周方向に形成されている請求項１に記載のヘアードライヤー。
【請求項９】
リフレクター（１２）と正対する側から見た、通風スリット（２２）の長さ寸法が、反射部（２０）の外郭形状に外接する円の直径寸法の１／４以上に形成されている請求項１から８のいずれかひとつに記載のヘアードライヤー。
【請求項１０】
反射部（２０）は、吹出口（４）の方向に向かって広がる傘状の反射傘（４５）と、反射傘（４５）の外方に所定間隔を置いて周回状に配置される反射リング（４６）とを含む反射板（２１）を備え、反射リング（４６）の先端側の過半部は反射傘（４５）の先端縁よりも吹出口（４）の方向に突出しており、
反射傘（４５）と反射リング（４６）とは、両者（４５・４６）が内外に対向する部分を橋絡する複数の橋絡壁（４７）で一体に形成されて、反射傘（４５）と反射リング（４６）との間に通風スリット（２２）が複数個形成されている請求項１に記載のヘアードライヤー。
【請求項１１】
リフレクター（１２）と正対する側から見た、リフレクター（１２）の投影面積（Ｓ１）が、リフレクター（１２）の外郭縁で規定される投影面積（Ｓ２）の７５％以上に設定されている請求項１から１０のいずれかひとつに記載のヘアードライヤー。
【請求項１２】
反射部（２０）は、乾燥風通路（５）の上流側に配置される傘状の第１反射体（５１）と、乾燥風通路（５）の下流側に配置される筒状の第２反射体（５２）とで構成されており、
リフレクター（１２）と正対する側から見て、第２反射体（５２）の内縁形状は、第１反射体（５１）の外縁形状よりも大きく形成されて、第１反射体（５１）の外縁と、第２反射体（５２）の内縁との間に連続環状の通風スリット（２２）が形成されている請求項１に記載のヘアードライヤー。
【請求項１３】
第１反射体（５１）の内面の乾燥風通路（５）の上流側に、入射した赤外線を吹出口（４）側へ向かって反射する第１反射面（５５）が設けられており、
第２反射体（５２）、あるいは第１反射体（５１）と第２反射体（５２）との内面に、入射した赤外線を第１反射面（５５）側へ向かって反射させる第２反射面（５６）が設けられている請求項１２に記載のヘアードライヤー。
【請求項１４】
リフレクター（１２）と正対する側から見て、第２反射体（５２）の内縁形状は、第１反射体（５１）の外縁形状に対して相似状に大きく形成されている請求項１３に記載のヘアードライヤー。
【請求項１５】
第２反射体（５２）が、乾燥風通路（５）の下流側に行くにしたがって窄まる先窄まり筒状に形成されている請求項１４に記載のヘアードライヤー。
【請求項１６】
乾燥風通路（５）の外部から内部に空気を導入するための空気取入口（６１）が設けられており、
乾燥風通路（５）後半部に流路区分筒（６４）が設けられており、
乾燥風通路（５）が、送風ファン（９）で送給された乾燥風を流動させる内側の一次空気流路（６２）と、空気取入口（６１）から導入した二次空気を流動させる外側の二次空気流路（６３）とに、流路区分筒（６４）で区分されている請求項１５に記載のヘアードライヤー。
【請求項１７】
第１反射体（５１）の乾燥風通路（５）の下流側端に、可視光を遮断する遮光フィルター（５８）が配置されている請求項１２から１６のいずれかひとつに記載のヘアードライヤー。
【発明の詳細な説明】
【技術分野】
【０００１】
本発明は、熱源で加熱された乾燥風に加え、熱源から放射される赤外線を利用して毛髪などの乾燥を行うヘアードライヤーに関する。
【背景技術】
【０００２】
この種のヘアードライヤーは例えば特許文献１に公知である。特許文献１の送風機は、筒状ハウジング内部（乾燥風通路）に遠赤外線セラミックで被覆されたヒータ（熱源）と反射鏡（リフレクター）とを備えている。また、ヒータおよび反射鏡の上流側には送風用のファンとファンを駆動するモーターが配置されている。反射鏡は、ヒータを囲む椀状に形成されており、ヒータから放射された赤外線を反射鏡の内面で筒状ハウジングの前面開口部側に反射している。
【先行技術文献】
【特許文献】
【０００３】
【特許文献１】特開平５−１６８５１８号公報
【発明の概要】
【発明が解決しようとする課題】
【０００４】
この種のヘアードライヤーにおいては、赤外線を吹出口側に効率よく反射させるために、できるだけ大きなリフレクターを設けることが好ましい。しかし、特許文献１の送風機において、大型化した反射鏡を設けると、その分だけ筒状ハウジング内部の通気可能な断面積が減少するため、反射鏡部分において通気抵抗が増加してしまう。また、通気抵抗が増加すると、ファンにより送風され、前面開口部から吹出す乾燥風の風量が低下することが避けられない。そのため、赤外線による毛髪などの乾燥は的確に行えるが、風量が少ない分だけ乾燥風による乾燥が十分に行われず、乾燥に時間を要してしまう。さらに、椀状に形成された反射鏡を備える特許文献１の送風機では、前面開口部の中心の延長線上で反射された赤外線が収束するので、乾燥時に毛髪が局所的に加熱され、ユーザーに過度の熱感を与えるおそれがある。
【０００５】
本発明の目的は、赤外線を利用して毛髪などの乾燥を行うヘアードライヤーにおいて、反射効率の低減を抑えながら、通気抵抗を軽減できるヘアードライヤーを提供することにある。
本発明の目的は、リフレクターで反射された赤外線が局所に収束するのを回避して、乾燥時に毛髪が局所的に加熱されるのを解消し、ユーザーが快適に使用できるヘアードライヤーを提供することにある。
【課題を解決するための手段】
【０００６】
本発明のヘアードライヤーは、吸込口３から吹出口４へ至る乾燥風通路５に、送風ファン９と、送風ファン９を駆動するモーター１０と、発熱しつつ赤外線を放射する熱源１１と、赤外線を反射させるリフレクター１２とを備えている。リフレクター１２は、熱源１１の周囲を囲むように設けられて、熱源１１から放射された赤外線を吹出口４側へ向かって反射させる反射部２０を備えている。そして、反射部２０に、乾燥風通路５の上流側から下流側へと乾燥風を通過させる少なくとも１個の通風スリット２２が設けられていることを特徴とする。なお、本発明における通風スリット２２は、一端が解放される切込み状のスリット、細長開口状のスリット、あるいは連続環状の開口からなるスリットを含む概念であり、通風スリット２２の最大長さと、通風スリット２２の平均幅の比である最大長さ／平均幅が２以上であるスリットを意味する。
【０００７】
反射部２０は、リフレクター１２のベース部１９から吹出口４の方向に向かって外拡がり状に延設される少なくとも２個の反射板２１を備える。隣り合う反射板２１・２１の周方向の隣接する縁部２４・２４は、リフレクター１２と正対する側から見て、径方向の内外、あるいは、径方向の内外と周方向へずれた状態で位置させることで縁部２４・２４の間に通風スリット２２を形成する。
【０００８】
リフレクター１２と正対する側から見て、隣り合う反射板２１・２１の周方向の縁部２４・２４の縁端面２５・２５が同一線上に位置している形態を採ることができる。
【０００９】
リフレクター１２と正対する側から見て、隣り合う反射板２１・２１の周方向の縁部２４・２４が内外に重なっている形態を採ることができる。
【００１０】
同一形状に形成された複数の反射板２１を、熱源１１の周囲に等角度間隔に配置して、反射部２０を風車状に形成する。リフレクター１２と正対する側から見て、各反射板２１の周方向中央を通る仮想中心軸線Ｐが乾燥風通路５の中心で交わらないように反射板２１を設ける。なお、ここで言う仮想中心軸線Ｐとは、図４に示すように、リフレクター１２と正対する側から見たとき、反射板２１の周方向中央を通り、反射板２１に直交する中心軸線のことを意味する。
【００１１】
反射板２１は部分回転放物面形状に形成して、その凹曲面を熱源１１に臨ませる。
【００１２】
反射部２０は、吹出口４の方向に向かって広がる傘状の反射板２１で構成されており、反射部２０に、反射板２１の中途部から、反射板２１の先端縁あるいは基端縁に至る通風スリット２２が放射状に複数個形成されている形態を採ることができる。なお、ここで言う「傘状」とは、先端に向かって拡径する形状のことであり、すり鉢状、曲率が一様な椀状、あるいは回転放物面状などを含む意味である。
【００１３】
反射部２０は、吹出口４の方向に向かって広がる傘状の反射板２１で構成されており、反射部２０に、反射板２１の中途部を貫通する複数の通風スリット２２が周方向に形成されている形態を採ることができる。
【００１４】
リフレクター１２と正対する側から見た、通風スリット２２の長さ寸法を、反射部２０の外郭形状に外接する円の直径寸法の１／４以上に形成することが好ましい。
【００１５】
反射部２０は、吹出口４の方向に向かって広がる傘状の反射傘４５と、反射傘４５の外方に所定間隔を置いて周回状に配置される反射リング４６とを含む反射板２１を備え、反射リング４６の先端側の過半部は反射傘４５の先端縁よりも吹出口４の方向に突出するように構成する。反射傘４５と反射リング４６とは、両者４５・４６が内外に対向する部分を橋絡する複数の橋絡壁４７で一体に形成されて、反射傘４５と反射リング４６との間に通風スリット２２が複数個形成されている形態を採ることができる。
【００１６】
リフレクター１２と正対する側から見た、リフレクター１２の投影面積Ｓ１を、リフレクター１２の外郭縁で規定される投影面積Ｓ２の７５％以上に設定することが好ましい。
【００１７】
反射部２０は、乾燥風通路５の上流側に配置される傘状の第１反射体５１と、乾燥風通路５の下流側に配置される筒状の第２反射体５２とで構成する。リフレクター１２と正対する側から見て、第２反射体５２の内縁形状は、第１反射体５１の外縁形状よりも大きく形成されて、第１反射体５１の外縁と、第２反射体５２の内縁との間に連続環状の通風スリット２２が形成されている形態を採ることができる。なお、第１反射体５１の外縁とは、乾燥風通路５下流側端部分の外側縁部を意味し、第２反射体５２の内縁とは、乾燥風通路５上流側端部分の内側縁部を意味する。
【００１８】
第１反射体５１の内面の乾燥風通路５の上流側に、入射した赤外線を吹出口４側へ向かって反射する第１反射面５５を設ける。第２反射体５２、あるいは第１反射体５１と第２反射体５２との内面に、入射した赤外線を第１反射面５５側へ向かって反射させる第２反射面５６を設ける。
【００１９】
リフレクター１２と正対する側から見て、第２反射体５２の内縁形状は、第１反射体５１の外縁形状に対して相似状に大きく形成することが好ましい。
【００２０】
第２反射体５２は、乾燥風通路５の下流側に行くにしたがって窄まる、先窄まり筒状に形成することが好ましい。
【００２１】
乾燥風通路５の外部から内部に空気を導入するための空気取入口６１を設ける。乾燥風通路５後半部に流路区分筒６４を設ける。乾燥風通路５を、送風ファン９で送給された乾燥風を流動させる内側の一次空気流路６２と、空気取入口６１から導入した二次空気を流動させる外側の二次空気流路６３とに、流路区分筒６４で区分する。
【００２２】
第１反射体５１の乾燥風通路５の下流側端に、可視光を遮断する遮光フィルター５８を配置することが好ましい。
【発明の効果】
【００２３】
本発明のヘアードライヤーにおいては、赤外線を反射するリフレクター１２の反射部２０に、乾燥風通路５の上流側から下流側へと乾燥風を通過させる少なくとも１個の通風スリット２２を設けた。このように、通風スリット２２を設けたリフレクター１２によれば、通風スリット２２を介して乾燥風をリフレクター１２の下流側へと通過させることができる。これにより、反射効率の向上を目的として大型化したリフレクター１２であっても、通気抵抗を軽減することができ、毛髪の乾燥を行うために必要で十分な風量の乾燥風を吹出口４から吹出すことができる。以上のように、本発明によれば、赤外線を利用して乾燥を行うヘアードライヤーにおいて、反射効率の低減を抑えながら、通気抵抗を軽減できるヘアードライヤーを提供できる。
【００２４】
少なくとも２個の反射板２１を備えるリフレクター１２において、隣接する周方向の縁部２４・２４を、リフレクター１２と正対する側から見て、径方向の内外、あるいは、径方向の内外と周方向へずれた状態で位置させることで、縁部２４・２４の間に通風スリット２２を形成した。これによれば、乾燥風が通風スリット２２を通過する際に、乾燥風に旋回方向の流れを生じさせることができる。これにより、吹出口４から吹出す乾燥風の直進性を向上し乾燥風が拡散するのを抑制して、毛髪に乾燥風を的確に送給できる。
【００２５】
リフレクター１２と正対する側から見て、隣り合う反射板２１・２１の周方向の縁部２４・２４の縁端面２５・２５が同一線上に位置していると、熱源１１から反射部２０に向かって放射された赤外線が、通風スリット２２を介して反射板２１の外面側へ漏れ出すのを防止できる。これにより、反射部２０に通風スリット２２を設けたことによる赤外線の反射効率の低下を防止し、反射部２０に向かって放射された赤外線の全部を吹出口４側へ反射させることができる。また、反射板２１の外面側に漏れ出した赤外線で乾燥風通路５の内壁面が加熱されることがないので、ヘアードライヤーの異常過熱や熱損傷を防止できる。さらに、赤外線の漏れ出しを阻止する別部材を設ける必要もなく反射部２０の構造を簡素化できるので、構造が複雑化することによる通気抵抗の増加を解消できる。
【００２６】
リフレクター１２と正対する側から見て、隣り合う反射板２１・２１の周方向の縁部２４・２４が内外に重なっていると、上記と同様に通風スリット２２を介して赤外線が反射板２１の外面側へ漏れ出すのを防止でき、また、構造が複雑化することによる通気抵抗の増加を解消できる。加えて、隣接する縁部２４・２４を内外に重ねたことにより重なり部分で乾燥風をガイドして、通風スリット２２を通過した乾燥風に確実に旋回方向の流れを生じさせることができる。これにより、吹出口４から吹出す乾燥風の直進性がより向上し乾燥風が拡散するのを抑制して、毛髪に乾燥風をより的確に送給できる。
【００２７】
熱源１１の周囲に、同一形状に形成した複数の反射板２１を等角度間隔に配置し、反射部２０を風車状に形成すると、通風スリット２２を通過した乾燥風に乾燥風通路５の周方向で均一な旋回方向の流れを生じさせることができるので、吹出口４から吹出す乾燥風の直進性をさらに向上して、毛髪に乾燥風をより的確に送給できる。また、リフレクター１２と正対する側から見て、各反射板２１の周方向中央を通る仮想中心軸線Ｐが乾燥風通路５の中心で交わらないように反射板２１を設けた。これによれば、各反射板２１で反射された遠赤外線を、吹出口４の外の空間へ向かって広範囲に反射させて、髪乾燥時に毛髪が局所的に加熱されるのを解消できるので、ユーザーは過度の熱感を感じることなく快適にヘアードライヤーを使用できる。
【００２８】
反射板２１は部分回転放物面形状に形成して、その凹曲面を熱源１１に臨ませてあると、反射板２１の周方向の縁部２４側で反射される赤外線が、吹出口４の外の空間へ拡散する状態で反射されるのを抑制しながら、赤外線を吹出口４の外の空間へ効率よく反射させることができる。従って、髪乾燥時には、毛髪に向かって赤外線を的確に反射させて、乾燥時間の短縮を図ることができる。
【００２９】
吹出口４の方向に向かって広がる傘状の反射板２１で反射部２０を構成し、反射板２１の中途部から、反射板２１の先端縁あるいは基端縁に至る通風スリット２２を放射状に複数個形成した。これによれば、例えば、アルミニウムなどの金属素材でリフレクター１２を構成するとき、金属板材にプレス加工を施して、外観が傘状のブランク材を得たのち、さらにブランク材にプレス加工を施して通風スリット２２を形成することでリフレクター１２を製造できる。また、通風スリット２２は反射板２１の縁部まで到達しているため、外観が傘状のブランク材にフライスやエンドミルなどを用いて切削加工を施して通風スリット２２を形成することでもリフレクター１２を製造できる。従って、反射板２１を簡易な形状に形成したことと相俟って、リフレクター１２を容易かつ安価に製造できるので、ヘアードライヤーの製造コストの削減を図ることができる。
【００３０】
吹出口４の方向に向かって広がる傘状の反射板２１で反射部２０を構成し、反射部２０に、反射板２１の中途部を貫通する複数の通風スリット２２を周方向に形成した。これによれば、例えば、アルミニウムなどの金属素材でリフレクター１２を構成するとき、金属板材にプレス加工を施して、外観が傘状のブランク材を得たのち、さらにブランク材にプレス加工を施して通風スリット２２を形成することでリフレクター１２を製造できる。また、通風スリット２２は貫通状であるため、外観が傘状のブランク材にフライスやエンドミルなどを用いて切削加工を施して通風スリット２２を形成することでもリフレクター１２を製造できる。従って、反射板２１を簡易な形状に形成したことと相俟って、リフレクター１２を容易かつ安価に製造できるので、ヘアードライヤーの製造コストの削減を図ることができる。また、上記のように通風スリット２２の一端が反射板２１の先端縁あるいは基端縁に至る場合には、反射部２０の構造強度が低下するおそれがある。しかし、中途部を貫通する通風スリット２２の場合には、反射部２０の構造強度の低下を回避することができる利点がある。
【００３１】
リフレクター１２と正対する側から見て、通風スリット２２の長さ寸法を、反射部２０の外郭形状に外接する円の直径寸法の１／４以上に形成すると、通気抵抗を軽減するために必要な大きさの通風スリット２２を形成することができ、通風スリット２２を介して十分な量の乾燥風をリフレクター１２の下流側へと通過させて、乾燥に必要な風量の乾燥風を確実に吹出口４から吹出すことができる。
【００３２】
反射部２０は反射傘４５と反射リング４６とを含む反射板２１を備え、反射リング４６の先端側の過半部は反射傘４５の先端縁よりも吹出口４の方向に突出するように構成した。これによれば、反射傘４５と反射リング４６とを不連続状に構成して反射部２０を構成するので、両者４５・４６の赤外線の反射態様を比較的自由度が高い状態で個別に設定できる。また、反射傘４５と反射リング４６が内外に対向する部分を複数の橋絡壁４７で一体化するので、反射傘４５と反射リング４６との間に、橋絡壁４７で画成される通風スリット２２を設けることができる。従って、反射される赤外線の収束、あるいは拡散状態を自在に設定しながらも、通風スリット２２を容易に設けることができるリフレクター１２を備えたヘアードライヤーとすることができる。
【００３３】
リフレクター１２と正対する側から見て、リフレクター１２の投影面積Ｓ１を、リフレクター１２の外郭縁で規定される投影面積Ｓ２の７５％以上に設定すると、赤外線の反射効率を向上するのに十分な大きさの反射部２０を形成できる。また、反射板２１の形状の自由度が向上するので、より効率よく赤外線を反射できる形状の反射板２１を容易に設けることができる。
【００３４】
反射部２０を傘状の第１反射体５１と、筒状の第２反射体５２とで構成し、リフレクター１２と正対する側から見て、第１反射体５１の外縁と第２反射体の内縁との間に連続環状の通風スリット２２を形成すると、第１および第２反射体５１・５２の赤外線の反射態様を比較的自由度が高い状態で個別に設定できる。従って、赤外線の反射方向や反射される赤外線の収束、あるいは拡散状態を自在に設定できるリフレクター１２とすることができる。
【００３５】
第１反射体５１の内面に、入射した赤外線を吹出口４側へ向かって反射する第１反射面５５を設け、第２反射体５２、あるいは第１反射体５１と第２反射体５２との内面に、入射した赤外線を第１反射面５５側へ向かって反射させる第２反射面５６を設けた。こうした反射部２０によれば、第１反射面５５で規定される照射範囲における赤外線の照度を向上させることができる。詳しくは、本発明のように、反射部２０に第１反射面５５と第２反射面５６を設けた場合には、第１反射面５５で反射された赤外線に加え、第２反射面５６で第１反射面５５に向かって反射され、再度第１反射面５５で反射された赤外線が、第１反射面５５で規定される照射範囲に照射される。これにより、第１反射面５５の照射範囲における赤外線の照度を向上させることができ、従って、ヘアードライヤーから離れた位置であっても、乾燥に必要な十分な照度の赤外線を毛髪に照射することができる。
【００３６】
第１反射体５１の外縁と第２反射体５２の内縁とを相似形状に形成すると、両者５１・５２の間に形成される通風スリット２２の幅寸法を、周方向において同一に形成することができる。これにより、乾燥風通路５の上流側から下流側へと乾燥風を均一な状態で通過させることができるので、流速にムラのない乾燥風を吹出口４から吹出すことができる。従って、吹出口４から吹出される乾燥風の直進性を向上して、毛髪に乾燥風を的確に送給できる。
【００３７】
第２反射体５２を乾燥風通路５の下流側に行くにしたがって窄まる、先窄まり筒状に形成した。こうした第２反射体５２によれば、第２反射体５２内側の出口側断面積が入口側断面積より小さくなるので、第２反射体５２の内側を通過した乾燥風の流速を出口側で大きくできる。従って、吹出口４から吹出す乾燥風の直進性をより向上して毛髪に乾燥風を的確に送給できる。
【００３８】
乾燥風通路５を、送風ファン９で送給された一次空気を流動させる内側の一次空気流路６２と、空気取入口６１から導入した二次空気を流動させる外側の二次空気流路６３とに、流路区分筒６４で区分した。これによれば、一次空気の外周に二次空気の層を形成して吹出口４から内外２層の乾燥風を吹出すことができるので、二次空気の層で一次空気が外側に拡散するのを抑制して、吹出口４から吹出される乾燥風の直進性をさらに向上できる。
【００３９】
第１反射体５１の乾燥風通路５の下流側端に、可視光を遮断する遮光フィルター５８を配置すると、例えは熱源１１が多量の可視光を放射するハロゲンランプのような場合であっても、熱源１１から放射される可視光が直接目視されるのを防止できる。従って、ユーザーは熱源１１による眩しさを感じることなく快適にヘアードライヤーを使用できる。
【図面の簡単な説明】
【００４０】
【図１】本発明の実施例１に係るヘアードライヤーの縦断側面図である。
【図２】本発明の実施例１に係るヘアードライヤーの側面図である。
【図３】本発明の実施例１に係るヘアードライヤーのリフレクターの斜視図である。
【図４】図１におけるＡ−Ａ線断面図である。
【図５】図４におけるＢ−Ｂ線断面図である。
【図６】リフレクターと正対する側から見た、リフレクターの投影面積を示す説明図である。
【図７】市販の解析ソフトウェアを用いた、赤外線の照射範囲のシミュレーションを説明するための図であり、（ａ）はシミュレーションにおいて想定した測定方法の説明図、（ｂ）および（ｃ）は、シミュレーション結果を示す図である。
【図８】実施例１に係るリフレクターの変形例を示す縦断正面図である。
【図９】図８におけるＣ−Ｃ線断面図である。
【図１０】リフレクターと正対する側から見た、リフレクターの投影面積を示す説明図である。
【図１１】本発明の実施例２に係るヘアードライヤーのリフレクターを示す縦断正面図である。
【図１２】図１１におけるＤ−Ｄ線断面図である。
【図１３】実施例２におけるリフレクターの変形例を示す要部断面図である。
【図１４】実施例２におけるリフレクターの別の変形例を示す縦断正面図である。
【図１５】図１４におけるＥ−Ｅ線断面図である。
【図１６】本発明の実施例３に係るヘアードライヤーのリフレクターを示す縦断正面図である。
【図１７】図１６におけるＦ−Ｆ線端面図である。
【図１８】本発明の実施例４に係るヘアードライヤーのリフレクターを示す縦断正面図である。
【図１９】本発明の実施例５に係るヘアードライヤーのリフレクターを示す縦断正面図である。
【図２０】本発明の実施例６に係るヘアードライヤーのリフレクターを示す縦断側面図である。
【図２１】図２０におけるＧ−Ｇ線断面図である。
【図２２】本発明の実施例７に係るヘアードライヤーのリフレクターを示しており、（ａ）はリフレクターの正面図、（ｂ）はリフレクターの縦断側面図である。
【図２３】実施例７におけるリフレクターの変形例を示す正面図である。
【図２４】本発明の実施例８に係るヘアードライヤーのリフレクターを示しており、（ａ）はリフレクターの正面図、（ｂ）はリフレクターの縦断側面図である。
【図２５】実施例８におけるリフレクターの変形例を示す正面図である。
【図２６】本発明の実施例９に係るヘアードライヤーのリフレクターを示す正面図である。
【図２７】実施例９に係るリフレクターの縦断側面図である。
【図２８】本発明の実施例１０に係るヘアードライヤーの縦断側面図である。
【図２９】実施例１０に係るリフレクターを示す縦断側面図である。
【図３０】図２９におけるＨ−Ｈ線断面図である。
【図３１】実施例１０に係るヘアードライヤーの吹出口近傍における乾燥風の流れを示す説明図である。
【図３２】実施例１０におけるリフレクターの変形例を示す縦断側面図である。
【図３３】実施例１０におけるリフレクターの別の変形例を示す縦断側面図である。
【発明を実施するための形態】
【００４１】
（実施例１）  図１から図７に、本発明に係るヘアードライヤーの実施例１を示す。本実施例における前後、左右、上下とは、図２および図４に示す交差矢印と、各矢印の近傍に表記した前後、左右、上下の表示に従う。図２に示すように、ヘアードライヤーは、横長筒状の本体ケース１と、本体ケース１の後寄り下面に折り畳み可能に連結されるグリップ２とを備えている。グリップ２の前面には、ヘアードライヤーの動作を起動ないし停止し、さらに温冷風モードを切換えるスライド式のスイッチノブ１０２が設けられている。
【００４２】
図１に示すように、本体ケース１の後端には吸込口３が設けられ、前端には吹出口４が設けられており、本体ケース１の内部に吸込口３から吹出口４へ至る乾燥風通路５が形成されている。乾燥風通路５の通路断面は真円形状に形成されており（図４参照）、吸込口３から吹出口４にわたって略同一直径寸法に設定されている。吸込口３には、パンチングメタルからなる吸込グリル６が装着されており、髪や衣服の一部が乾燥風通路５に吸い込まれるのを防いでいる。また、吹出口４には、金属メッシュからなる吹出グリル７を設けて、乾燥風通路５内に手指等が入り込むのを防いでいる。
【００４３】
乾燥風通路５の上流側には、軸流式の送風ファン９と、送風ファン９を駆動するモーター１０と、発熱しつつ赤外線を放射するハロゲンランプ（熱源）１１などが上流側から下流側に向かって記載順に配置されている。また、ハロゲンランプ１１には、同ランプ１１から放射される赤外線を反射させるリフレクター１２が装着されている。モーター１０は、本体ケース１の内壁面で支持されるモーターケース１３に組み付けられており、モーター１０の出力軸に送風ファン９が固定されている。モーターケース１３は、上流側の後ケース１４と、下流側の前ケース１５とで構成されており、両ケース１４・１５はともに有底筒状に形成されて、モーター１０を包み込むように蓋合わせ状に一体化されている。前ケース１５の前壁には、段付き軸状のランプソケット１６が固定されており、ハロゲンランプ１１はランプソケット１６にねじ込み装着されている。なお、赤外線とは赤色光よりも波長が長く、ミリ波長の電波よりも波長の短い電磁波全般のことであり、近赤外線から遠赤外線の波長領域を含むものをいう。また、リフレクター１２は、赤外線に加えて可視光領域の電磁波をも同時に反射する。
【００４４】
図３および図５に示すようにリフレクター１２は、リング状に形成されるベース部１９と反射部２０とを一体に備えたアルミニウム成形品からなる。リフレクター１２は、ベース部１９が先のランプソケット１６の小径軸部分に外嵌されて、モーター１０とハロゲンランプ１１との間に固定されている。反射部２０は、ハロゲンランプ１１の周囲を囲むように設けられており、ハロゲンランプ１１から放射された赤外線を、その内面で吹出口４側へ向かって反射させる反射板２１を備えている。また、反射部２０には、乾燥風通路５の上流側から下流側へと乾燥風を通過させる少なくとも１個の通風スリット２２が設けられている。
【００４５】
具体的には、反射部２０は、ベース部１９から延設される４個の反射板２１を備えている。反射板２１は同一形状に形成されており、ベース部１９の前端縁部から、ハロゲンランプ１１の周りに等角度間隔に設けられている。図４および図５に示すように、隣り合う反射板２１・２１の周方向の縁部２４・２４は隣接しており、隣接する縁部２４・２４は、リフレクター１２と正対する側から見て、径方向の内外へずれた状態で位置させることで、縁部２４・２４の間に通風スリット２２が形成される。通風スリット２２は、反射板２１の基端側中途部から設けられており、乾燥風通路５の上流側から下流側に向かって、徐々にスリット幅の寸法が大きくなるように形成されて、反射部２０の前端側で開放されている。リフレクター１２と正対する側から見たとき、通風スリット２２は、直線状に形成されており、４個の通風スリット２２が、乾燥風通路５の中央側から内壁面側に向かって放射状に設けられている。また、隣り合う反射板２１・２１の周方向の縁部２４・２４の縁端面２５・２５は同一線上に位置するように設けられている。図５に示すように、各反射板２１の隣接する縁部２４・２４の曲率は、略同一になっており、各反射板２１の前端縁部は、乾燥風通路５に直交する同一平面上に位置している。
【００４６】
上記のように、リフレクター１２と正対する側から見て、隣接する縁部２４・２４を径方向の内外へずれた状態で位置させることで、縁部２４・２４の間に通風スリット２２を形成すると、乾燥風が通風スリット２２を通過する際に、乾燥風に旋回方向の流れを生じさせることができる。これにより、吹出口４から吹出す乾燥風の直進性を向上し乾燥風が拡散するのを抑制して、毛髪に乾燥風を的確に送給できる。また、リフレクター１２と正対する側から見て、隣り合う反射板２１・２１の周方向の縁部２４・２４の縁端面２５・２５が同一線上に位置していると、ハロゲンランプ１１から反射部２０に向かって放射された赤外線が、通風スリット２２を介して反射板２１の外面側へ漏れ出すのを防止できる。これにより、反射部２０に通風スリット２２を設けたことによる赤外線の反射効率の低下を防止し、反射部２０に向かって放射された赤外線の全部を吹出口４側へ反射できる。また、反射板２１の外面側に漏れ出した赤外線で乾燥風通路５の内壁面、すなわち本体ケース１が加熱されることがないので、ヘアードライヤーの異常過熱や熱損傷を防止できる。さらに、赤外線の漏れ出しを阻止する別部材を設ける必要もなく反射部２０の構造を簡素化できるので、構造が複雑化することによる通気抵抗の増加を解消できる。
【００４７】
図１に示すように反射板２１は、部分回転放物面形状に形成されて、その凹曲面をハロゲンランプ１１に臨ませてあり、反射板２１の内面は滑らかな３次元曲面状に形成されている。このように、反射板２１を部分回転放物面形状に形成し、その凹曲面をハロゲンランプ１１に臨ませると、反射板２１の周方向の縁部２４側で反射される赤外線が、吹出口４の外の空間へ拡散する状態で反射されるのを抑制しながら、赤外線を吹出口４の外の空間へ効率よく反射させることができる。従って、髪乾燥時には、毛髪に向かって赤外線を的確に反射させて、乾燥時間の短縮を図ることができる。なお、反射板２１の内面は、赤外線の反射効率をより向上するために鏡面状に研磨加工されている。
【００４８】
リフレクター１２と正対する側から見て、各反射板２１の周方向中央を通る仮想中心軸線Ｐが乾燥風通路５の中心で交わらないように反射板２１が設けられている。図４に示すように仮想中心軸線Ｐは、乾燥風通路５に直交する平面上において、反射板２１の周方向中央を通り反射板２１に直交する中心軸線であり、本実施例においては、仮想中心軸線Ｐは、乾燥風通路５の中心を避けた複数点で交差するように設定している。これにより、各反射板２１はベース部１９に対してねじれ角が付与されて、反射部２０が風車状に形成されている。このように、仮想中心軸線Ｐが一点で交差しないようにすると、各反射板２１で反射された赤外線を、吹出口４の外の空間へ向かって広範囲に反射させて、髪乾燥時に毛髪が局所的に加熱されるのを解消できるので、ユーザーは過度の熱感を感じることなく快適にヘアードライヤーを使用できる。また、反射部２０を風車状に形成すると、通風スリット２２を通過した乾燥風に乾燥風通路５の周方向で均一な旋回方向の流れを生じさせることができるので、吹出口４から吹出す乾燥風の直進性をさらに向上して、毛髪に乾燥風をより的確に送給できる。
【００４９】
リフレクター１２と正対する側から見たとき、通風スリット２２の長さ寸法は、反射部２０の外郭形状に外接する円の直径寸法の１／４以上に形成されていることが好ましい（図５参照）。これは、乾燥風通路５の直径寸法の１／４未満であると、通風スリット２２を通過する乾燥風の量が不足するからである。さらに、通風スリット２２の長さ寸法は、乾燥風通路５の直径寸法の１／３以上に設定することが好ましく、本実施例では、当該寸法に通風スリット２２を設定している。このように、通風スリット２２の長さ寸法を乾燥風通路５の直径寸法の１／３に形成すると、通気抵抗を軽減するために必要な大きさの通風スリット２２を形成することができ、通風スリット２２を介して十分な量の乾燥風をリフレクター１２の下流側へと通過させて、乾燥に必要な風量の乾燥風を確実に吹出口４から吹出すことができる。
【００５０】
図６に示すように、リフレクター１２と正対する側から見たとき、斜め格子状のハッチングを付したリフレクター１２の投影面積Ｓ１は、リフレクター１２の外郭縁で規定される投影面積Ｓ２の７５％以上に設定することが好ましい。これは、投影面積Ｓ２の占める割合が７５％未満であると、十分な反射効率を得られる反射部２０を形成することが困難となるからである。より好ましくは、８０％以上であることが最適であり、本実施例では投影面積Ｓ１は、投影面積Ｓ２の９０％に設定している。このように、リフレクター１２の投影面積Ｓ１が、投影面積Ｓ２の８０％以上を占めていると、赤外線の反射効率を向上するのに十分な大きさの反射部２０を形成できる。また、反射板２１の形状の自由度が向上するので、より効率よく赤外線を反射できる形状の反射板２１を容易に設けることができる。
【００５１】
本実施例においては、リフレクター１２の外郭縁で規定される投影面積Ｓ２は、乾燥風通路５の通路断面積の８０％に設定している。これにより、リフレクター１２の外郭縁と、乾燥風通路５の内面との間からも、十分な量の乾燥風がリフレクター１２の下流側へ通気可能となっている。なお、乾燥風通路５の通路断面積に対して、リフレクター１２の外郭縁で規定される投影面積Ｓ２の占める割合が、９５％を超えるとリフレクター１２に起因する通気抵抗の過度の増加により、反射部２０に通風スリット２２を設けた場合でも、十分な風量の乾燥風を吹出口４から吹出すことが困難となるからである。
【００５２】
図７にパーソナルコンピュータ上で動作する市販の解析ソフトウェアを用いて、赤外線の照射範囲をシミュレーションした結果を示す。照射範囲のシミュレーションは、図７（ａ）に示すように、吹出口４の約３０ｃｍ前方に測定板Ｔを配置し、この測定板Ｔに照射される赤外線を測定する測定方法を想定して行った。なお、ハロゲンランプ１１から直接測定板Ｔに照射される赤外線は除くように設定し、所定以上の照度に照らされた部分を照射範囲とした。シミュレーションは、本実施例のリフレクター１２に加え、比較対象として通風スリット２２を備えない椀状のリフレクターを仮定して行った。いずれのリフレクターにおいてもその投影面積Ｓ１は、投影面積Ｓ２の８０％に設定し、反射板２１の曲率は可能な限り同一になるよう設定した。
【００５３】
図７（ｂ）、（ｃ）はシミュレーションの結果を示しており、図７（ｂ）の一点鎖線で囲まれる範囲が本実施例のリフレクター１２の照射範囲である。また、図７（ｃ）の二点鎖線で囲まれる範囲が比較対象のリフレクターの照射範囲であり、格子状のハッチングを付した範囲は、周囲に比べで照度が非常に高かった部分を示している。なお、両図とも吹出口４を破線で示している。シミュレーションの結果からわかるように、本実施例のリフレクター１２によれば、椀状のリフレクターに比べて照射範囲が広く拡散するように反射している。また、照度が非常に高くなる部分が存在せず、局部に収束しない状態で赤外線を反射していることが判った。なお、照射範囲の測定とともに、測定板Ｔに対して照射される光の照射効率をシミュレーションした結果、本実施例のリフレクター１２および比較対象のリフレクターの照射効率は、両者とも約６１％でほぼ同程度であった。ここで言う「照射効率」とは、ハロゲンランプ１１から放射された赤外線がリフレクター１２で反射して、所定以上の照度に照らされた照射範囲に照射された割合を言う。
【００５４】
図８から図１０に、実施例１におけるリフレクター１２の変形例を示す。そこでは、図８に示すように、外側に位置する反射板２１の縁部２４の基端部がベース部１９から離れた状態で、各反射板２１をベース部１９の前端縁部から延設した。これに伴い、通風スリット２２の幅寸法は、図９に示すように乾燥風通路５の上流側から下流側に向かって、略同一寸法に形成されている。また、図１０に示すように、リフレクター１２の投影面積Ｓ１は、縁部２４の基端部をベース部１９から離れた状態で延設した分小さくなっており、リフレクター１２の投影面積Ｓ１は、リフレクター１２の外郭縁で規定される投影面積Ｓ２の８５％に設定している。各反射板２１の前端縁部は、図９に示すように、乾燥風通路５に直交する平面に対して傾斜するように構成している。他は実施例１と同じであるので、同じ部材に同じ符号を付してその説明を省略する。以下の説明においても同じとする。
【００５５】
上記のように、外側に位置する反射板２１の縁部２４の基端部をベース部１９から離れた状態で設けると、通風スリット２２をより大きく形成することができ、さらに多量の乾燥風を通風スリット２２を介してリフレクター１２の下流側へと通過させることができる。従って、リフレクター１２による通気抵抗をより軽減することができ、毛髪の乾燥を行うために必要で十分な風量の乾燥風を吹出口４から確実に吹出すことができる。
【００５６】
図１１および図１２に、本発明に係るヘアードライヤーの実施例２を示す。そこでは、図１１に示すように、リフレクター１２と正対する側から見て、隣り合う反射板２１・２１の周方向の縁部２４・２４を径方向の内外と周方向へずれた状態で位置させることで、縁部２４・２４が内外に重なるように反射板２１を設けるようにリフレクター１２を構成した点が先の実施例１と異なる。内外に重なる縁部２４・２４の幅寸法は、反射板２１の先端側に行くにしたがって、徐々に大きくなるようにした。また、図１２に示すように、通風スリット２２は、反射板２１の基端から先端にわたって設けられており、乾燥風通路５の上流側から下流側に向かって、徐々にスリット幅の寸法が大きくなるように形成されて、反射部２０の前端側で開放されている。このように、反射板２１の隣接する縁部２４・２４が内外に重なるように設けると、先の実施例１と同様に、通風スリット２２を介して赤外線が反射板２１の外面側へ漏れ出すのを防止でき、また、構造が複雑化することによる通気抵抗の増加を解消できる。本実施例においては、隣接する縁部２４・２４を内外に重ねたことにより、重なり部分で乾燥風をガイドして通風スリット２２を通過した乾燥風により強い旋回方向の流れを生じさせることができる。これにより、吹出口４から吹出す乾燥風の直進性をさらに向上し乾燥風が拡散するのを抑制して、毛髪に乾燥風をより的確に送給できる。
【００５７】
図１３に、実施例２におけるリフレクター１２の変形例を示す。そこでは、内外に重なる縁部２４・２４の曲率が異なるように、各反射板２１を形成した。詳しくは、外側に位置する縁部２４の曲率を小さくし、内側に位置する縁部２４の曲率を大きくして、乾燥風通路５の下流側で通風スリット２２の幅寸法がより大きく形成されるようにした。従って、さらに多量の乾燥風を通風スリット２２を介してリフレクター１２の下流側へと通過させることができる。本変形例においては、リフレクター１２の構造を大きく変更することなく、縁部２４の曲率を変更するだけで、通風スリット２２の形状を自在に設定することが可能となる。
【００５８】
図１４および図１５に、実施例２におけるリフレクター１２の別の変形例を示す。そこでは、図１４に示すように、内外に重なる縁部２４・２４の幅寸法が、反射板２１の先端に行くにしたがって、徐々に小さくなるようにした。また、図１５に示すように、先の実施例１の変形例と同様に、外側に位置する反射板２１の縁部２４の基端部がベース部１９から離れた状態で、各反射板２１をベース部１９の前端縁部から延設した。このように、乾燥風をガイドする内外に重なる縁部２４・２４の幅寸法は、先端に行くにしたがって小または大に変化し、あるいは同一であってもよく、種々の形態を採ることができ、縁部２４・２４の重なり状態を変更することで、乾燥風に生じる旋回方向の流れの強さや向きを変更することが可能となる。
【００５９】
図１６および図１７に、本発明に係るヘアードライヤーの実施例３を示す。そこでは、図１６に示すように、平板状の複数の単位反射板３０の一群で部分球殻状の反射板２１を形成してリフレクター１２を構成した。図１７に示すように、単位反射板３０は、乾燥風通路５の半径方向において４個設けている。このように、反射板２１は、内面が滑らかな３次元曲面の球殻状である必要はなく、平板状、２次元曲面状、あるいは３次元曲面状の単位反射板３０の一群で構成することもできる。
【００６０】
図１８に、本発明に係るヘアードライヤーの実施例４を示す。そこでは、１個の反射板２１で反射部２０を構成し、反射板２１の周方向の両端の縁部２４・２４を隣接させて、通風スリット２２を形成してリフレクター１２を構成した。このように、１個の反射板２１であっても、通風スリット２２を備える反射部２０を構成することができる。
【００６１】
図１９に、本発明に係るヘアードライヤーの実施例５を示す。そこでは、形状の異なる２個の反射板２１で反射部２０を形成してリフレクター１２を構成した。下側の反射板２１に対して、上側の反射板２１の曲率を大きく形成したので、上側の反射板２１で反射された赤外線は、下側の反射板２１で反射された赤外線よりも収束する状態で反射される。このように、反射板２１の形状を異ならせることで、赤外線を一様に反射させるのではなく、様々な反射態様に設定することができる。
【００６２】
図２０および図２１に、本発明に係るヘアードライヤーの実施例６を示す。そこでは、図２０に示すように反射部２０を椀状に形成し、ハロゲンランプ１１より乾燥風通路５の下流側の反射部２０において、反射部２０の周方向に沿って通風スリット２２を開口形成してリフレクター１２を構成した。通風スリット２２は、図２１に示すように等角度間隔に４個形成している。通風スリット２２は、ハロゲンランプ１１より乾燥風通路５の下流側に形成しているので、ハロゲンランプ１１から放射された赤外線が、通風スリット２２を介して乾燥風通路５の内壁面に直接照射されることはない。このように、通風スリット２２は、反射部２０の周方向に沿って形成されていてもよい。なお、通風スリット２２は、ハロゲンランプ１１より乾燥風通路５の下流側の反射部２０以外に設けることもできる。この場合には、通風スリット２２を介して赤外線が乾燥風通路５の内壁面に照射されるのを防止するカバーなどを設けるとよい。
【００６３】
上記の実施例３から６においても、ハロゲンランプ１１から反射部２０に向かって放射された赤外線が、通風スリット２２を介して反射板２１の外面側へ漏れ出すのを防止しているので、実施例１および２と同様に、赤外線の反射効率の低下を防止し、反射部２０に向かって放射された赤外線の全部を吹出口４側へ反射できる。また、ヘアードライヤーの異常過熱や熱損傷を防止でき、さらに構造が複雑化することによる通気抵抗の増加を解消できる。
【００６４】
上記の各実施例においては、通風スリット２２を介して乾燥風をリフレクター１２の下流側へと通過させつつ、通風スリット２２を介して赤外線が反射板２１の外面側へ漏れ出すのを防いだ。これにより、反射効率の向上を目的として大型化したリフレクター１２であっても、通気抵抗を軽減することができ、毛髪の乾燥を行うために必要で十分な風量の乾燥風を吹出口４から吹出すことができる。また、反射部２０における赤外線の反射効率の低下を防止できる。従って、赤外線を利用して乾燥を行うヘアードライヤーにおいて、反射効率の向上と、通気抵抗の軽減という、相反する課題を同時に解決することが可能となる。
【００６５】
図２２に、本発明に係るヘアードライヤーの実施例７を示す。そこでは、リフレクター１２はアルミニウム板材にプレス加工を施して形成されており、図２２（ｂ）に示すように、反射部２０は、吹出口４の方向に向かって広がるすり鉢状（傘状）の反射板２１で構成し、その中央に開口４０が形成されている。また、図２２（ａ）に示すように、反射板２１の中途部から、反射板２１の先端縁（乾燥風通路５の下流側縁）に至る切込み状の４個の通風スリット２２が放射状に形成されている。通風スリット２２の幅寸法は、乾燥風通路５の上流側から下流側に向かって徐々に大きくなるように形成されている。本実施例においては、開口４０の周縁が、ベース部１９を兼ねている。
【００６６】
図２３に、実施例７におけるリフレクター１２の変形例を示す。そこでは、反射板２１の中途部から、反射板２１の基端縁（乾燥風通路５の上流側縁）に至る切込み状の４個の通風スリット２２を放射状に形成した。また、通風スリット２２の幅寸法は、略同一寸法に形成した。なお、スリット幅の寸法は、乾燥風通路５の上流側に向かって徐々に大きく、あるいは小さくなるように形成してもよい。
【００６７】
図２４に、本発明に係るヘアードライヤーの実施例８を示す。そこでは、リフレクター１２はアルミニウム板材にプレス加工を施して形成されており、図２４（ｂ）に示すように、反射部２０は、吹出口４の方向に向かって広がるすり鉢状（傘状）の反射板２１で構成し、その中央に開口４０が形成されている。また、図２４（ａ）に示すように、反射板２１の中途部を前後に貫通する８個の通風スリット２２が周方向へ断続的に打抜き形成されている。通風スリット２２は径方向に沿って伸びる細長開口状に形成されており、反射板２１の前後方向略中央に放射状に設けられている。通風スリット２２の幅寸法は、略同一寸法に形成されている。本実施例においても、実施例７と同様に開口４０の周縁が、ベース部１９を兼ねている。
【００６８】
図２５に、実施例８におけるリフレクター１２の変形例を示す。そこでは、通風スリット２２は周方向に沿って伸びる細長開口状に形成して、反射板２１の前後方向略中央に周回状に設けた。通風スリット２２の幅寸法は、略同一寸法に形成されている。本変形例では、通風スリット２２は一重に形成したが、多重に設けることもできる。
【００６９】
上記の実施例７、８およびそれぞれの変形例におけるリフレクター１２の製造は、まず、アルミニウム板材にプレス機により絞り加工と打抜き加工を施して、外観が円錐状のブランク材を得る。次いで、このブランク材にプレス機により打抜き加工を施して、通風スリット２２および開口４０を形成することで、リフレクター１２を得ることができる。このように、反射板２１を簡易な形状に形成したことと相俟って、リフレクター１２を容易かつ安価に製造できるので、ヘアードライヤーの製造コストの削減を図ることができる。リフレクター１２の製造は、アルミニウム板材から通風スリット２２および開口４０を含む外形形状にプレス機で打抜き加工を施したのち、これに絞り加工を施してもよい。また、反射板２１の縁部まで到達する、あるいは反射板２１を貫通する通風スリット２２は、フライスやエンドミルなどを用いて切削加工を施すことでも形成できるので、外観が円錐状のブランク材に切削加工を施してリフレクター１２を製造してもよい。
【００７０】
上記の実施例７のように通風スリット２２の一端が反射板２１の先端縁あるいは基端縁に至る場合には、反射部２０の構造強度が低下するおそれがある。しかし、実施例８およびその変形例のように中途部を貫通する通風スリット２２の場合には、前記反射部２０の構造強度の低下を回避することができる利点がある。
【００７１】
上記の実施例７、８およびそれぞれの変形例においては、ハロゲンランプ１１から反射部２０に向かって放射された赤外線の一部が、通風スリット２２を介して反射板２１の外面側へ漏れ出すが、反射板２１に対して通風スリット２２が占める割合が小さいため、漏れ出す赤外線は僅かである。漏れ出した赤外線により乾燥風通路５の内壁面が加熱されるのを防止するために、リフレクター１２と対向する乾燥風通路５の内壁面に、例えば金属製の断熱筒などを装着するとよい。断熱筒を装着することで、本体ケース１に直接赤外線が照射されるのを防いで、ヘアードライヤーの異常過熱や熱損傷を防止できる。なお、上記の実施例７、８およびそれぞれの変形例における反射板２１は、すり鉢状（傘状）以外に曲率が一様な椀状、あるいは回転放物面状に形成してもよい。
【００７２】
図２６および図２７に、本発明に係るヘアードライヤーの実施例９を示す。そこでは、反射部２０は、吹出口４の方向に向かって広がる傘状の反射傘４５と、反射傘４５の外方に所定間隔を置いて周回状に配置される反射リング４６とを含む反射板２１を備えている。反射傘４５は回転放物面状に形成されており、反射リング４６は、先拡がりのリング状に形成されている。反射リング４６の先端側の過半部は、反射傘４５の先端縁よりも吹出口４の方向に突出するように構成されており、反射傘４５と反射リング４６とは、等角度間隔おきに配置されて両者４５・４６が内外に対向する部分を橋絡する６個の橋絡壁４７で一体に形成されている。これにより、反射傘４５と反射リング４６との間に橋絡壁４７で画成される６個の通風スリット２２が設けられている。リフレクター１２はアルミニウム成形品からなり、反射傘４５の基端部には、ベース部１９が一体に設けられている。なお、反射リング４６の外に別の反射リングを配置して、反射リングを多重に設けることができる。この場合には、内外の反射リング４６の対向部分に複数個の橋絡壁４７を設けて反射板２１を一体に形成し、内外の反射リング４６の間にも通風スリット２２を設けることができる。
【００７３】
上記の実施例９においては、反射傘４５と反射リング４６とを不連続状に構成して反射部２０を構成するので、両者４５・４６の赤外線の反射態様を比較的自由度が高い状態で個別に設定できる。また、反射傘４５と反射リング４６が内外に対向する部分を複数の橋絡壁４７で一体化するので、反射傘４５と反射リング４６との間に、橋絡壁４７で画成される細長開口状の通風スリット２２を設けることができる。従って、反射される赤外線の収束、あるいは拡散状態を自在に設定しながらも、通風スリット２２を容易に設けることができるリフレクター１２を備えたヘアードライヤーとすることができる。
【００７４】
上記実施例のうち、反射部２０の下流端側で開放されている通風スリット２２においては、例えば下流端側で隣接する反射板２１・２１をリブ状壁などで連結してあってもよく、リブ壁を設けることにより、リフレクターの構造強度を増強できる。リフレクター１２と正対する側から見て、通風スリット２２は曲線状に形成されていてもよい。反射板２１の形状は、上記実施例あるいは変形例の形状に限られない。また、各反射板２１の前端縁部は、波状や湾曲状に形成していてもよい。乾燥風通路５の断面形状は、楕円断面形状、頂点数の多い多角形形状等であってもよい。
【００７５】
（実施例１０）  図２８から図３１に、本発明に係るヘアードライヤーの実施例１０を示す。本実施例における前後、左右、上下とは、図２９および図３０に示す交差矢印と、各矢印の近傍に表記した前後、左右、上下の表示に従う。
【００７６】
図２８に示すように、ヘアードライヤーは、横長筒状の本体ケース１と、本体ケース１の後寄り下面に折り畳み可能に連結されるグリップ２とを備えている。図示していないがグリップ２の前面には、ヘアードライヤーの動作を起動ないし停止し、さらに温冷風モードを切換えるスライド式のスイッチノブが設けられている。本体ケース１の後端には吸込口３が設けられ、前端には吹出口４が設けられており、本体ケース１の内部に吸込口３から吹出口４へ至る乾燥風通路５が、断面真円形状に形成されている。吸込口３には、パンチングメタルからなる吸込グリル６が装着されており、髪や衣服の一部が乾燥風通路５に吸い込まれるのを防いでいる。また、吹出口４には、金属メッシュからなる吹出グリル７を設けて、乾燥風通路５内に手指等が入り込むのを防いでいる。
【００７７】
乾燥風通路５の上流側には、軸流式の送風ファン９と、送風ファン９を駆動するモーター１０と、発熱しつつ赤外線を放射するハロゲンランプ（熱源）１１などが上流側から下流側に向かって記載順に配置されている。また、ハロゲンランプ１１には、同ランプ１１から放射される赤外線を反射させるリフレクター１２が装着されている。モーター１０は、本体ケース１の内壁面で支持されるモーターケース１３に組み付けられており、モーター１０の出力軸に送風ファン９が固定されている。モーターケース１３は、上流側の後ケース１４と、下流側の前ケース１５とで構成されており、両ケース１４・１５はともに有底筒状に形成されて、モーター１０を包み込むように蓋合わせ状に一体化されている。前ケース１５の前壁には、段付き軸状のランプソケット１６が固定されており、ハロゲンランプ１１はランプソケット１６にねじ込み装着されている。なお、赤外線とは赤色光よりも波長が長く、ミリ波長の電波よりも波長の短い電磁波全般のことであり、近赤外線から遠赤外線の波長領域を含むものをいう。また、リフレクター１２は、赤外線に加えて可視光領域の電磁波をも同時に反射する。
【００７８】
図２９に示すようにリフレクター１２は、反射部２０を備えたアルミニウム成形品からなり、反射部２０は乾燥風通路５の上流側に配置される傘状の第１反射体５１と、乾燥風通路５の下流側に、第１反射体５１から離間した状態で配置される円筒状の第２反射体５２とで構成されている。第１反射体５１は、後側（乾燥風通路５上流側）の椀状部５３と、椀状部５３の前側に連設される円筒部５４とで構成されている。椀状部５３の内面には、部分回転放物面状の第１反射面５５が設けられており、円筒部５４の内面には、第１反射面５５の方向に指向する大小８個の断面鋸歯状の第２反射面１５６（５６）が周回状に設けられている。第１反射面５５は、入射した赤外線を吹出口４側へ向かって反射させるようになっており、第２反射面１５６は入射した赤外線を第１反射面５５側へ向かって反射させるようになっている。第１反射体５１の後端には固定リング５７が一体に形成されており、この固定リング５７をランプソケット１６の小径軸部分に外嵌固定することにより、椀状部５３がハロゲンランプ１１の周囲を同心円状に囲んでいる。
【００７９】
第２反射体５２は、前側（乾燥風通路５下流側）に行くにしたがって窄まる、先窄まり円筒状に形成されており、その前端が吹出グリル７に固定されている。第２反射体５２の内面にも、第１反射面５５の方向に指向する２個の断面鋸歯状の第２反射面２５６（５６）が周回状に設けられており、第２反射面２５６は入射した赤外線を第１反射面５５側へ向かって反射させるようになっている。このように、本実施例においては、両反射体５１・５２の内面に第２反射面５６（１５６・２５６）がそれぞれ設けられている。
【００８０】
ハロゲンランプ１１の前側（乾燥風通路５下流側）で、第１反射体５１の円筒部５４の前端（乾燥風通路５の下流側端）には、円筒部５４の前開口を塞ぐ遮光フィルター５８が配置されている。遮光フィルター５８は、ハロゲンランプ１１から放射された電磁波のうち、可視光領域の電磁波（可視光）のみを遮断する。このように、遮光フィルター５８を配置することにより、吹出口４から乾燥風通路５を見たとき（リフレクター１２と正対する側から見たとき）、ハロゲンランプ１１から放射される可視光が直接目視されるのを防止している。従って、ユーザーはハロゲンランプ１１による眩しさを感じることなく快適にヘアードライヤーを使用できる。なお、遮光フィルター５８は、可視光領域の電磁波のみを遮断し、赤外線は減衰されることなく透過されるため、遮光フィルター５８が赤外線による毛髪の乾燥を阻害することはない。本実施例では、ハロゲンランプ１１は第１反射体５１と遮光フィルター５８で囲まれる空間内に配置されているので、ハロゲンランプ１１から放射される可視光がユーザーに目視されることはない。
【００８１】
図３０に示すように、リフレクター１２と正対する側から見て、第１反射体５１の外縁形状は真円状に形成され、第２反射体５２の内縁形状は真円状に形成されて、両者は同心円状（相似状）に形成されている。これにより、リフレクター１２には、第１反射体５１の外縁と、第２反射体の内縁との間に、周方向で等幅な連続環状の通風スリット２２が形成されている。このように、連続環状の通風スリット２２を等幅に形成することで、通風スリット２２を介して乾燥風通路５の上流側から下流側へと、乾燥風を周方向で均一な状態で通過させることができる。第１および第２反射体５１・５２は、第１反射体５１の外縁と、第２反射体の内縁が、乾燥風通路５の内壁面と同心円状になるよう乾燥風通路５に配置されている。
【００８２】
図２８および図３１に示すように、本体ケース１の吹出口４寄りの筒壁には空気取入口６１が設けられており、空気取入口６１を介して本体ケース１の外部（乾燥風通路５の外部）から内部に空気を導入することができる。空気取入口６１は、本体ケース１の周囲に等間隔おきに複数個設けられている。乾燥風通路５の後半部には、先端が通風スリット２２に臨む状態で、円筒状の流路区分筒６４が設けられている。流路区分筒６４は、通風スリット２２に臨む筒内空間に配置されて、送風ファン９から送給された乾燥風を流動させる内側の一次空気流路６２と、空気取入口６１から導入した二次空気を流動させる外側の二次空気流路６３に区分している。流路区分筒６４は、後側の前窄まり円筒状の縮径筒部６５と、縮径筒部６５の前側に連続する直線円筒状の丸筒部６６とで構成されている。流路区分筒６４の外周面の４カ所には固定リブ６７が一体に形成されており、この固定リブ６７が乾燥風通路５の内壁面に固定することにより、流路区分筒６４が筒内空間に配置されている（図３０参照）。先の空気取入口６１は、二次空気流路６３に臨むように設けられており、二次空気流路６３は、その前端が第２反射体５２に向かって開口している。なお、空気取入口６１には、二次空気流路６３内への埃等の侵入を防ぐ防塵フィルター６８が装着されている。
【００８３】
ヘアードライヤーの使用に際してスイッチノブを温風モードに切換えると、ハロゲンランプ１１が点灯される。ハロゲンランプ１１の点灯により、ハロゲンランプ１１から吹出口４方向へ放射された赤外線は、反射することなく吹出口４の前方側へと円錐状に広がるように照射される。また、ハロゲンランプ１１から第１反射体５１の第１反射面５５方向に放射された赤外線は、第１反射面５５で反射され吹出口４前方へと照射される。また、ハロゲンランプ１１から第１反射体５１の第２反射面１５６、および第２反射体５２の第２反射面２５６の方向に放射された赤外線は、両第２反射面１５６・２５６で第１反射面５５側へ向かって反射され、第１反射面５５で再度反射されて吹出口４前方へと照射される。従って、第１反射面５５で規定される照射範囲においては、ハロゲンランプ１１から前方向、第１反射面５５方向、および両第２反射面１５６・２５６方向に放射された赤外線が照射される。
【００８４】
上記ハロゲンランプ１１の点灯に連動してモーター１０が起動され送風ファン９が駆動される。送風ファン９により吸込口３から吸入された空気は、一次空気として吹出口４に向かって送給され、第１反射体５１と流路区分筒６４との間を通過して一次空気流路６２から吹出される。このとき、第１反射体５１はハロゲンランプ１１で加熱されているので、一次空気流路６２を流動する一次空気は、第１反射体５１で加熱される。空気が一次空気流路６２を流動すると、流動する空気流によるベンチュリー作用で二次空気流路６３に負圧が作用し、この負圧により本体ケース１の外部（乾燥風通路５の外部）の空気が空気取入口６１を介して二次空気流路６３へと導入される。二次空気流路６３へと導入された空気は、同流路６３の前端から一次空気の流れに沿って吹出され、これにより、吹出口４からは、一次空気と二次空気の内外２層の乾燥風が吹出される。このとき、乾燥風は、第２反射体５２の内側を通過する際に、先窄まり筒状の第２反射体５２により入口側よりも出口側の流速が大きくなって、吹出口４から吹出される。
【００８５】
上記のように、本実施例のヘアードライヤーにおいては、第１反射体５１の外縁と第２反射体の内縁との間に連続環状の通風スリット２２を形成したので、第１および第２反射体５１・５２の赤外線の反射態様を比較的自由度が高い状態で個別に設定できる。従って、赤外線の反射方向や反射される赤外線の収束、あるいは拡散状態を自在に設定できるリフレクター１２とすることができる。
【００８６】
第１反射体５１の内面に第１反射面５５を設け、第１反射体５１と第２反射体５２との内面に第２反射面１５６・２５６（５６）を設けたので、第１反射面５５で規定される照射範囲における赤外線の照度を向上させることができる。詳しくは、本実施例のように、反射部２０に第１反射面５５と第２反射面１５６・２５６を設けた場合には、先に説明したように第１反射面５５で反射された赤外線に加え、第２反射面１５６・２５６で第１反射面５５に向かって反射され、第１反射面５５で再度反射された赤外線が、第１反射面５５で規定される照射範囲に照射される。これにより、第１反射面５５の照射範囲における赤外線の照度を向上させることができ、従って、ヘアードライヤーから離れた位置であっても、乾燥に必要な十分な照度の赤外線を毛髪に照射することができる。
【００８７】
第１反射体５１の外縁と第２反射体５２の内縁とを同心円状（相似状）に形成したので、両者５１・５２の間に形成される通風スリット２２の幅寸法を、周方向において同一に形成することができる。これにより、乾燥風通路５の上流側から下流側へと乾燥風を均一な状態で通過させることができるので、流速にムラのない乾燥風を吹出口４から吹出すことができる。従って、吹出口４から吹出される乾燥風の直進性を向上して、毛髪に乾燥風を的確に送給できる。
【００８８】
第２反射体５２を乾燥風通路５の下流側に行くにしたがって窄まる、先窄まり筒状に形成したので、第２反射体５２内側の出口側断面積が入口側断面積より小さくなり、第２反射体５２の内側を通過した乾燥風の流速を出口側で大きくできる。従って、吹出口４から吹出す乾燥風の直進性をより向上して毛髪に乾燥風を的確に送給できる。
【００８９】
通風スリット２２を、一次空気を流動させる内側の一次空気流路６２と、二次空気を流動させる外側の二次空気流路６３とに、円筒状の流路区分筒６４で区分したので、一次空気の外周に二次空気の層を形成して吹出口４から内外２層の乾燥風を吹出すことができる。従って、二次空気の層で一次空気が外側に拡散するのを抑制して、吹出口４から吹出される乾燥風の直進性をさらに向上できる。
【００９０】
図３２に、実施例１０におけるリフレクター１２の変形例を示す。そこでは、第１反射体５１は円筒部５４が省略されて椀状部５３だけで構成されており、これに伴い、第２反射面１５６が省略されて第１反射面５５のみ設けられている。また、第２反射体５２は、実施例１０よりも前後方向の長さが大きな円筒状に形成されており、その内面に１０個の第２反射面２５６が設けられている。これら第１および第２反射体５１・５２は、第１反射体５１の前端と第２反射体５２の後端とが近接した状態で、乾燥風通路５に配置されている。遮光フィルター５８は前突状に形成されて、遮光フィルター５８とハロゲンランプ１１の先端との間に隙間が設けられており、ハロゲンランプ１１の熱による遮光フィルター５８の損傷を防止している。本体ケース１の空気取入口６１、および流路区分筒６４は省略されている。他は実施例１０と同じであるので、同じ部材に同じ符号を付してその説明を省略する。以下の説明においても同じとする。
【００９１】
先の実施例のように第１反射体５１に第２反射面１５６を設けると、第２反射面５６を設ける円筒部５４の形状を考慮して椀状部５３の形状を決める必要があるが、上記のように、第１反射体５１の円筒部５４を省略することで設計上の制約を解消し、椀状部５３の設計の自由度を拡大できる。また、第２反射体５２の前後方向の長さを大きくすることで、第２反射面２５６を設けることができる領域を拡大して、第１反射面５５の照射範囲における照度の向上を図ることができる。
【００９２】
図３３に、実施例１０におけるリフレクター１２の別の変形例を示す。そこでは、第１反射体５１および第２反射体５２が部分回転放物面形状に形成されて、両者５１・５２の内面が第１反射面５５とされている。このように、リフレクター１２は、反射部２０から第２反射面１５６・２５６（５６）が省略された形態を採ることができる。また、本変形例では第１反射体５１の椀状部５３と固定リング５７との間に、ハロゲンランプ１１が収容される先広がり筒状のランプ収容筒部７１が設けられており、その内面は第１反射面５５として構成されている。なお、ランプ収容筒部７１は、直線円筒状、あるいは先窄まり円筒状に形成してもよく、また、その内面は第１反射面５５として構成する必要はない。
【００９３】
上記のように、第２反射面１５６・２５６が省略されて、第１および第２反射体５１・５２が部分回転放物面形状に形成された反射部２０によれば、反射部２０の形状を簡素化できるので、アルミニウム板材にプレス機により絞り加工と打抜き加工を施すことで、リフレクター１２を容易かつ安価に製造できる。
【００９４】
上記の実施例１０およびその変形例において、連続環状の通風スリット２２に加えて、先の実施例１から９に係る一端が解放される切込み状、あるいは細長開口状の通風スリット２２を、第１および第２反射体５１・５２に設けることができる。反射部２０の第１および第２反射体５１・５２は、それぞれ１個の成型品として構成してもよいし、例えば、左右に分割した２部品を接合して構成してもよい。２部品を接合して構成した第１および第２反射体５１・５２によれば、１個の成型品で構成する場合に比べて、複雑な形状の第１反射面５５および第２反射面５６であっても反射部２０を容易に形成できるので、リフレクター１２の製造コストを低減することができる。
【００９５】
また、第１反射体５１の円筒部５４は、先窄まり円筒状、あるいは先広がり円筒状に形成することができる。第２反射体５２は、先広がり円筒状に形成することができる。乾燥風通路５の断面形状、第１反射体５１の円筒部５４、および第２反射体５２は、楕円形状、頂点数の多い多角形形状等であってもよい。遮光フィルター５８は、可視光領域の電磁波を僅かに通すものであってもよく、この場合にはハロゲンランプ１１が放射する可視光を目視できるので、ハロゲンランプ１１の点灯状態を確認することができる。
【００９６】
以上のように、上記各実施例のヘアードライヤーにおいては、リフレクター１２の反射部２０に、乾燥風通路５の上流側から下流側へと乾燥風を通過させる少なくとも１個の通風スリット２２を設けたので、通風スリット２２を介して乾燥風をリフレクター１２の下流側へと通過させることができる。これにより、反射効率の向上を目的として大型化したリフレクター１２であっても、通気抵抗を軽減することができ、毛髪の乾燥を行うために必要で十分な風量の乾燥風を吹出口４から吹出すことができる。従って、上記各実施例のヘアードライヤーによれば、反射効率の低減を抑えながら、通気抵抗を軽減できるヘアードライヤーを提供できる。
【００９７】
上記の各実施例では熱源１１はハロゲンランプで構成したが、発熱しつつ赤外線を放射する、例えばハロゲンヒーター、セラミックヒーター、またはカーボンヒーターなどで構成してもよい。また、リフレクター１２の素材はアルミニウムに限られない。
【符号の説明】
【００９８】
３  吸込口
４  吹出口
５  乾燥風通路
９  送風ファン
１０  モーター
１１  熱源（ハロゲンランプ）
１２  リフレクター
１９  ベース部
２０  反射部
２１  反射板
２２  通風スリット
２４  縁部
２５  縁端面
４５  反射傘
４６  反射リング
４７  橋絡壁
５１  第１反射体
５２  第２反射体
５５  第１反射面
５６  第２反射面
５８  遮光フィルター
６１  空気取入口
６２  一次空気流路
６３  二次空気流路
６４  流路区分筒
Ｐ  仮想中心軸線
Ｓ１  リフレクターの投影面積
Ｓ２  リフレクターの外郭縁で規定される投影面積
【図１】
2018023754.tif 000003
【図２】
2018023754.tif 000004
【図３】
2018023754.tif 000005
【図４】
2018023754.tif 000006
【図５】
2018023754.tif 000007
【図６】
2018023754.tif 000008
【図７】
2018023754.tif 000009
【図８】
2018023754.tif 000010
【図９】
2018023754.tif 000011
【図１０】
2018023754.tif 000012
【図１１】
2018023754.tif 000013
【図１２】
2018023754.tif 000014
【図１３】
2018023754.tif 000015
【図１４】
2018023754.tif 000016
【図１５】
2018023754.tif 000017
【図１６】
2018023754.tif 000018
【図１７】
2018023754.tif 000019
【図１８】
2018023754.tif 000020
【図１９】
2018023754.tif 000021
【図２０】
2018023754.tif 000022
【図２１】
2018023754.tif 000023
【図２２】
2018023754.tif 000024
【図２３】
2018023754.tif 000025
【図２４】
2018023754.tif 000026
【図２５】
2018023754.tif 000027
【図２６】
2018023754.tif 000028
【図２７】
2018023754.tif 000029
【図２８】
2018023754.tif 000030
【図２９】
2018023754.tif 000031
【図３０】
2018023754.tif 000032
【図３１】
2018023754.tif 000033
【図３２】
2018023754.tif 000034
【図３３】
2018023754.tif 000035